(57)【要約】      （修正有）【課題】ＬＥＤチップの光を低コストで効果的に拡散させることができるＬＥＤ電球及び電球用グローブカバーを提供する。【解決手段】グローブ１４に被せる電球用グローブカバー１６を、光透過性を有する発泡樹脂で成形する。ＬＥＤチップ１３の光が電球用グローブカバー１６を透過するとき、電球用グローブカバー１６の内部に形成されている微細気泡に当たって散乱し、拡散される。そのため、光源として指向性の強いＬＥＤチップ１３を用いるにも拘わらず、白熱電球のような柔らかな光で点灯させることができる。また、電球用グローブカバー１６は、樹脂成型品であるので、低コストで製造できる。【選択図】図１
0003210321.tif 000002
【実用新案登録請求の範囲】
【請求項１】
ＬＥＤチップと、ＬＥＤチップの発光を制御する点灯回路を備え、ＬＥＤチップを覆うようにグローブを口金に取り付けたＬＥＤ電球であって、
前記グローブに光透過性を有する発泡樹脂で成形した電球用グローブカバーを被せ、電球用グローブカバーを透過するＬＥＤチップの光を電球用グローブカバーで拡散させることを特徴とするＬＥＤ電球。
【請求項２】
前記電球用グローブカバーをグローブに着脱可能に装着したことを特徴とする請求項１に記載のＬＥＤ電球。
【請求項３】
前記電球用グローブカバーに装飾意匠を施したことを特徴とする請求項１に記載のＬＥＤ電球。
【請求項４】
光透過性を有する発泡樹脂で成形した電球用グローブカバーであって、電球のグローブに被せて使用され、電球用グローブカバーを通過する電球の光を電球用グローブカバーで拡散させることを特徴とする電球用グローブカバー。
【請求項５】
装飾意匠を施したことを特徴とする請求項４に記載の電球用グローブカバー。
【考案の詳細な説明】
【技術分野】
【０００１】
本考案は、ＬＥＤチップを光源として内蔵するＬＥＤ電球及び電球用グローブカバーに関する。
【背景技術】
【０００２】
近時、消費電力の大きい白熱電球に代えて、消費電力の少ないＬＥＤチップを光源として用いるＬＥＤ電球の需要が高まっている。
一般に、この種のＬＥＤ電球はＬＥＤチップと、ＬＥＤチップの発光を制御する点灯回路を備え、ＬＥＤチップを覆うようにグローブが口金に取り付けられている。
【先行技術文献】
【特許文献】
【０００３】
【特許文献１】特開２０１３−１５７４８８号公報
【考案の概要】
【考案が解決しようとする課題】
【０００４】
ＬＥＤ電球の光源に用いられるＬＥＤチップは、強い指向性を有する点光源として発光するので、ＬＥＤ電球を白熱電球と代替するには、柔らかな光を発する面光源となるようにＬＥＤチップの光を拡散させて指向性を弱める光拡散手段が不可欠となる。
上記した従来のＬＥＤ電球では、光拡散手段として、先端部に反射面を形成した柱状の導光部材をグローブ内に設け、ＬＥＤチップの光を、導光部材を通して反射面に導き、反射面で多重反射させて拡散している。
しかしながら、多重反射による光拡散効果だけでは白熱電球のような柔らかな光を得るには不十分であった。
本考案はかかる問題点に鑑み、ＬＥＤチップの光を低コストで効果的に拡散させることができるＬＥＤ電球及び電球用グローブカバーを提供することを目的とする。
【課題を解決するための手段】
【０００５】
上記目的を達成するため本考案は、ＬＥＤチップと、ＬＥＤチップの発光を制御する点灯回路を備え、ＬＥＤチップを覆うようにグローブを口金に取り付けたＬＥＤ電球であって、
前記グローブに光透過性を有する発泡樹脂で成形した電球用グローブカバーを被せ、電球用グローブカバーを透過するＬＥＤチップの光を電球用グローブカバーで拡散させることを特徴とする。
【０００６】
そして、好ましくは、前記電球用グローブカバーをグローブに着脱可能に装着する。
また、好ましくは、前記電球用グローブカバーに装飾意匠を施す。
【０００７】
また、上記目的を達成するため本考案は、光透過性を有する発泡樹脂で成形した電球用グローブカバーであって、電球のグローブに被せて使用され、電球用グローブカバーを通過する電球の光を電球用グローブカバーで拡散させることを特徴とする。
そして、好ましくは、前記電球用グローブカバーに装飾意匠を施す。
【考案の効果】
【０００８】
本考案によれば、グローブに被せる電球用グローブカバーを、光透過性を有する発泡樹脂で成形したので、ＬＥＤチップの光が電球用グローブカバーを透過するとき電球用グローブカバーの内部に形成されている微細気泡に当たって散乱し、拡散される。そのため、光源として指向性の強いＬＥＤチップを用いるにも拘わらず、白熱電球のような柔らかな光で点灯させることができる。
発泡樹脂製の電球用グローブカバーは、クッション性を有するので、ＬＥＤ電球を取り扱うときに床に落下したり、壁や家具に当てても、衝撃が電球用グローブカバーで吸収される。そのためグローブの破損を防止でき、破損したグローブで手などが傷つくのを防止できる。
電球用グローブカバーは樹脂成型品であるので、低コストで製造できる。そして、電球用グローブカバーを着脱可能とすることで、必要に応じて電球用グローブカバーをＬＥＤ電球に装着したり、取り外しできるので、ＬＥＤ電球の使い勝手が良くなる。
また、電球用グローブカバーに装飾意匠を施すことで、電球用グローブカバーを装着したＬＥＤ電球のインテリアとしての用途が広がり、商品価値を高めることができる。
【図面の簡単な説明】
【０００９】
【図１】本考案の第１実施例に係るＬＥＤ電球を示す断面図である。
【図２】同ＬＥＤ電球を示す分解図である。
【図３】本考案の第２実施例に係るＬＥＤ電球を示す断面図である。
【図４】同ＬＥＤ電球の電球用グローブカバーの他の実施例を示す正面図である。
【図５】同ＬＥＤ電球の電球用グローブカバーの他の実施例を示す正面図である。
【図６】同ＬＥＤ電球の電球用グローブカバーの他の実施例を示す正面図である。
【図７】本考案の第３実施例に係るＬＥＤ電球を示す断面図である。
【図８】同ＬＥＤ電球の電球用グローブカバーを示す斜視図である。
【実施例１】
【００１０】
以下に本考案の第１実施例に係るＬＥＤ電球を図１及び図２に示す。当該ＬＥＤ電球１０は、電源ソケット（図示略）に着脱される口金１１と、筒状のフレキシブル基板１２と、フレキシブル基板１２の外周面に縦及び横方向に等間隔で並べた多数のＬＥＤ１３と、フレキシブル基板１２を覆うように口金１１に取り付けた白色半透明のプラスチック製のグローブ１４と、多数のＬＥＤチップ１３を所定の順番で点滅制御する点灯回路１５及びグローブ１４に着脱可能に被せられる電球用グローブカバー１６を備えている。この電球用グローブカバー１６は光透過性を有する発泡樹脂で出来ている。この種の発砲樹脂としては、例えば、発泡ポリエチレン、発泡ポリスチレン、発泡ポリウレタンを用いることができる。
【００１１】
グローブ１４は下端面に開口１４ａを形成した縦長の筒構造を有し、下端部の外周にネジ山１４ｂが形成されている。口金１１には、プラスチックで成型した皿状のベースカバー１７が一体的に取り付けられている。このベースカバー１７の上端部の内周面にはネジ溝が形成されている。グローブ１４は、ネジ山１４ｂをネジ溝にねじ込んでベースカバー１７に着脱可能に取り付けられる。
【００１２】
電球用グローブカバー１６は下端面に開口１６ａを形成した筒構造を有し、ベースカバー１７の上端部外周に開口１６ａを弾力的に密着させて、口金１１に着脱可能に取り付けられている。
【００１３】
本実施例に係るＬＥＤ電球１０及び電球用グローブカバー１６の構造は以上の通りであって、点灯回路１５によって、例えば、ＬＥＤチップ１３の横列が上段側から順番に下段へと点滅するように、あるいは、その逆に下段から上段へと点滅するようにＬＥＤチップ１３が制御される。また、ＬＥＤチップ１３の縦列が右側から順番に左側下段へと点滅するように、あるいは、その逆に左側から右側へと点滅するように点灯回路１５でＬＥＤチップ１３が制御される。さらにまた、所定領域のＬＥＤチップ群が点滅した後、これとは異なる領域のＬＥＤチップ群が点滅するように点灯回路１５でＬＥＤチップ１３が制御される。かかる制御により、ＬＥＤ電球１０の光は、あたかも炎が揺らいでいるように見える。
【００１４】
本実施例に係るＬＥＤ電球１０によれば、グローブ１４に被せる電球用グローブカバー１６を、光透過性を有する発泡樹脂で成形したので、ＬＥＤチップ１３の光が電球用グローブカバー１６を透過するとき電球用グローブカバー１６の内部に形成されている微細気泡に当たって散乱し、拡散される。そのため、光源として指向性の強いＬＥＤチップ１３を用いるにも拘わらず、白熱電球のような柔らかな光で点灯させることができる。
また、電球用グローブカバー１６は樹脂成型品であるので、低コストで製造できる。そして、電球用グローブカバー１６を着脱可能とすることで、必要に応じて電球用グローブカバー１６をＬＥＤ電球１０に装着することも、取り外すこともできるので、ＬＥＤ電球１０の使い勝手が良くなる。
【実施例２】
【００１５】
本発明の第２実施例に係るＬＥＤ電球１０Ａを図３に示す。第１実施例に係るＬＥＤ電球１０では、グローブ１４の全体が電球用グローブカバー１６で覆われているが、第２実施例に係るＬＥＤ電球１０Ａでは、電球用グローブカバー１６Ａでグローブ１４が部分的に覆われ、グローブ１４の頂部が露出している。
なお、本実施例に係るＬＥＤ電球１０Ａの他の構成は、第１実施例に係るＬＥＤ電球１０と同じであるので、同一の構成要素に同一の符号を付して説明を省略する。
【００１６】
図４〜図６に電球用グローブカバー１６，１６Ａの他の実施例を示す。図４に示す電球用グローブカバー１６Ｂは、全体が炎の形状に成形されている。図５に示す電球用グローブカバー１６Ｃは、表面に多数の花びらの図柄がカラフルに印刷されている。また、図６に示す電球用グローブカバー１６Ｄでは、星形の図柄や小さな円が刻み込まれている。
このように、電球用グローブカバー１６Ｂ，１６Ｃ，１６Ｄに装飾意匠を施すことで、電球用グローブカバー１６Ｂ，１６Ｃ，１６Ｄを装着したＬＥＤ電球１０，１０Ａのインテリアとしての用途が広がり、商品価値を高めることができる。
【実施例３】
【００１７】
図７に本考案の第３実施例に係るＬＥＤ電球２０を示す。当該ＬＥＤ電球２０は、アルミニウム製の放熱体２１、ＬＥＤチップ２２を実装したモジュール基板２３、半透明のガラス製または樹脂製のドーム形グローブ２４、口金２５、ＬＥＤチップ２２に電力を供給する点灯回路２６、導光部材２７及び電球用グローブカバー３０を備えている。
【００１８】
放熱体２１は逆円錐台形の外観を有し、外周部には、表面積を増加して放熱効果を高めるため多数のフィン２１ａが形成されている。放熱体２１の上端面２１ｂには、モジュール基板２３が固定されている。放熱体２１の下端の開口端面に口金２５が装着され、放熱体２１の内部空間と口金２５の内部空間が連通している。そして、放熱体２１及び口金２５の内部空間に点灯回路２６が配置され、モジュール基板２３と点灯回路２６がリード線２８で接続されて、点灯回路２６と口金２５がリード線２９で電気的に接続されている。
【００１９】
放熱体２１の上端面２１ｂには、モジュール基板２３を取り囲むようにリング溝２１ｃが形成されている。このリング溝２１ｃにグローブ２４の下端開口端部が嵌合し、接着剤によって放熱体２１に固着されている。このグローブ２４はモジュール基板２３を覆うように放熱体２１に取り付けられている。
【００２０】
放熱体２１の上端部２１ｂに固定したモジュール基板２３には、柱状の導光部材２７が立設され固定されている。導光部材２７は、プラスチック成形品で先端部に四角錐の形状を有する反射面２７ａが形成されている。一方、導光部材２７の基端部には凹部２７ｂが形成され、この凹部２７ｂをＬＥＤチップ２２に被せるようにして導光部材２７がモジュール基板２３に取付けられている。凹部２７ｂに対向配置したＬＥＤチップ２２が発する光は、凹部２７ｂから導光部材２７中に入射し、反射面２７ａで多重反射されて、周囲に拡散する。
【００２１】
電球用グローブカバー３０は、光透過性の発泡樹脂でドーム形に成形されている。図８に示すように、電球用グローブカバー３０の下端開口３０ａには、４本のスリット３０ｂが形成されている。電球用グローブカバー３０は、スリット３０ｂから下端開口３０ａを拡開してグローブ２４に被せられる。
【００２２】
本実施例に係るＬＥＤ電球２０によれば、ＬＥＤチップ２２の光が導光部材２７の反射面２７ａで多重反射して拡散するとともに、電球用グローブカバー３０を通過するとき電球用グローブカバー３０の内部の気泡で散乱して拡散されるので、より高い拡散効果を得ることができる。そのため、白熱電球のように柔らかな光で周囲を照明できる。
【００２３】
上記第１、第２及び第３実施例に係るＬＥＤ電球１０，１０Ａ，２０では、発泡樹脂の弾性を利用して電球用グローブカバー１６，１６Ａ，１６Ｂ，１６Ｃ，１６Ｄ，３０をグローブ１４，２４に着脱可能に装着しているが、接着剤やビスを用いることで、電球用グローブカバー１６，１６Ａ，１６Ｂ，１６Ｃ，１６Ｄ，３０をグローブ１４，２４に強固に装着できる。
また、電球用グローブカバー１６，１６Ａ，１６Ｂ，１６Ｃ，１６Ｄ，３０の用途は、ＬＥＤ電球１０，１０Ａ，２０に限定されるものではなく、白熱電球などに用いることも可能である。
【符号の説明】
【００２４】
１０，１０Ａ，２０…ＬＥＤ電球
１１，２５…口金
１３，２２…ＬＥＤチップ
１４，２４…グローブ
１５，２６…点灯回路
１６，１６Ａ，１６Ｂ，１６Ｃ，１６Ｄ，３０…電球用グローブカバー
【図１】
0003210321.tif 000003
【図２】
0003210321.tif 000004
【図３】
0003210321.tif 000005
【図４】
0003210321.tif 000006
【図５】
0003210321.tif 000007
【図６】
0003210321.tif 000008
【図７】
0003210321.tif 000009
【図８】
0003210321.tif 000010